【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
第１のユーザの行動の結果として生成される第１の情報を取得する機能と、
前記第１の情報に基づいて、前記第１のユーザの行動についてのコメンタリーを生成する機能と、
前記コメンタリーを含む第２の情報を前記第１のユーザとは異なる第２のユーザに公開するために出力する機能と
を実現するように構成されるプロセッサを備える情報処理装置。
【請求項２】
前記コメンタリーは、叙述的な第１の部分と、論評的な第２の部分とを含む、請求項１に記載の情報処理装置。
【請求項３】
前記コメンタリーにおいて、前記第１の部分と前記第２の部分とによってダイアログが構成される、請求項２に記載の情報処理装置。
【請求項４】
前記コメンタリーは、テキストコメンタリーであり、
前記第２の情報は、前記第１の部分および前記第２の部分を、それぞれの仮想的な話者に関連付けて配置した画像を含む、請求項３に記載の情報処理装置。
【請求項５】
前記プロセッサは、さらに、所定の時間に生成された複数の前記コメンタリーに対応する前記画像を時系列で配列して動画像を生成する機能を実現するように構成される、請求項４に記載の情報処理装置。
【請求項６】
前記コメンタリーは、前記第１のユーザの現在地の情報を含む、請求項１〜５のいずれか１項に記載の情報処理装置。
【請求項７】
前記プロセッサは、さらに、所定の時間に生成された複数の前記コメンタリーに含まれる情報を集約して表現する画像を生成する機能を実現するように構成される、請求項１に記載の情報処理装置。
【請求項８】
前記画像において、前記複数のコメンタリーの生成時の前記第１のユーザの位置情報は現実のまたは仮想的なマップ上に表現される、請求項７に記載の情報処理装置。
【請求項９】
前記仮想的なマップは、現実のマップにおける位置関係の少なくとも一部を捨象することによって生成される、請求項８に記載の情報処理装置。
【請求項１０】
前記第１の情報は、前記第１のユーザの行動認識結果を含む、請求項１〜９のいずれか１項に記載の情報処理装置。
【請求項１１】
前記コメンタリーは、前記行動認識結果によって示される前記第１のユーザの行動が変化した場合に生成される、請求項１０に記載の情報処理装置。
【請求項１２】
前記コメンタリーは、前記行動認識結果が事後的に修正された場合に生成される、請求項１１に記載の情報処理装置。
【請求項１３】
前記コメンタリーは、前記行動認識結果によって示される前記第１のユーザの行動が所定の時間を超えて継続されている場合に生成される、請求項１０〜１２のいずれか１項に記載の情報処理装置。
【請求項１４】
前記コメンタリーは、前記行動認識結果によって示される前記第１のユーザの行動が所定のパターンに合致した場合に生成される、請求項１０〜１３のいずれか１項に記載の情報処理装置。
【請求項１５】
前記コメンタリーは、前記行動認識結果によって示される前記第１のユーザの行動の程度を示す文言を含む、請求項１０〜１４のいずれか１項に記載の情報処理装置。
【請求項１６】
前記第１の情報は、前記第１のユーザがネットワーク上に投稿したテキストまたは画像を含む、請求項１〜１５のいずれか１項に記載の情報処理装置。
【請求項１７】
前記コメンタリーは、さらに、前記第１のユーザの行動の履歴に基づいて生成される、請求項１〜１６のいずれか１項に記載の情報処理装置。
【請求項１８】
プロセッサが、
第１のユーザの行動の結果として生成される第１の情報を取得することと、
前記第１の情報に基づいて、前記第１のユーザの行動についてのコメンタリーを生成することと、
前記コメンタリーを含む第２の情報を前記第１のユーザとは異なる第２のユーザに公開するために出力することと
を含む情報処理方法。
【請求項１９】
第１のユーザの行動の結果として生成される第１の情報を取得する機能と、
前記第１の情報に基づいて、前記第１のユーザの行動についてのコメンタリーを生成する機能と、
前記コメンタリーを含む第２の情報を前記第１のユーザとは異なる第２のユーザに公開するために出力する機能と
をコンピュータに実現させるためのプログラム。
【手続補正２】
【補正対象書類名】明細書
【補正対象項目名】００１２
【補正方法】変更
【補正の内容】
【００１２】
なお、説明は以下の順序で行うものとする。
１．システム構成
２．機能構成
３．行動共有の画面表示例
３−１．リスト表示画面
３−２．仮想空間表示画面
３−３．個別情報画面
４．行動認識に基づくコメンタリー
４−１．コメンタリーの表示例
４−２．叙述的コメンタリーの構成例
４−３．論評的コメンタリーの構成例
５．投稿に基づくコメンタリー
５−１．コメンタリーの表示例
６．コメンタリーのまとめ表現
７．コメンタリー開始および終了時の操作
８．ハードウェア構成
９．補足
【手続補正３】
【補正対象書類名】明細書
【補正対象項目名】００３５
【補正方法】変更
【補正の内容】
【００３５】
また、画像生成機能４５０は、所定の時間にコメンタリー生成機能４３０によって生成された複数のコメンタリーをまとめて表現する画像を生成してもよい。この場合、生成される画像は、動画像であってもよい。このようなまとめ画像は、例えばコメンタリー生成機能４３０が動作する所定の時間の終了時に生成されうる。つまり、まとめ画像は、ユーザ操作によって指定されたコメンタリーの終了時点や、タイマーによって指定されたコメンタリーの終了時点で生成されうる。あるいは、まとめ画像は、コメンタリーの途中で、所定の時間（例えば３時間など）ごとに生成されうる。また、まとめ画像のより具体的な例についても後述する。
【手続補正４】
【補正対象書類名】明細書
【補正対象項目名】００５９
【補正方法】変更
【補正の内容】
【００５９】
（３−３．個別情報画面）
図６は、本開示の一実施形態における投稿履歴画面の例を示す図である。図６を参照すると、クライアント装置１００のディスプレイに表示される投稿履歴画面１３００には、ユーザ情報１３０１、行動ステータス１３０３、ユーザオブジェクト１３０５、投稿メッセージ１３０７、行動アイコン１３０９、まとめボタン１３１１、および投稿履歴ボタン１３１３が含まれる。
【手続補正５】
【補正対象書類名】明細書
【補正対象項目名】０１１４
【補正方法】変更
【補正の内容】
【０１１４】
（画像の第３の例）
図１２は、本開示の一実施形態において表示されるコメンタリーまとめ画像の第３の例を示す図である。図１２を参照すると、まとめ画像２５００には、マップ２５０１、ポイント表示２５０３、ルート表示２５０５、時刻アイコン２４０７、および行動アイコン２５０９が含まれる。
【手続補正６】
【補正対象書類名】明細書
【補正対象項目名】０１１６
【補正方法】変更
【補正の内容】
【０１１６】
このように現実の位置情報を捨象する効果として、マップ２５０１では、例えばルート表示２５０５を、それぞれの移動経路が十分に認識されるような長さで表現することが可能である。例えば、図示された例におけるルート表示２５０５のうち、ルート表示２５０５ａは徒歩に対応するルート表示であり、ルート表示２５０５ｂは電車の乗車に対応するルート表示である。これらのルート表示が現実の位置情報に従って表示されると、ルート表示２５０５ａがルート表示２５０５ｂに比べて短くなり、場合によってはルート表示２５０５ａを認識することが困難になる（徒歩による移動速度よりも電車による移動速度の方がはるかに大きいため）。そこで、マップ２５０１に示された例のように現実の位置情報からある程度自由にポイント表示２５０３およびルート表示２５０５を配置できれば、ユーザのそれぞれの行動に対応したルート表示２５０５を認識することが容易になりうる。